(57)【特許請求の範囲】
【請求項１】
−少なくとも１種の基油と、
−下記の式（Ｉ）で表される少なくとも１種のポリグリセロールエーテル：
【化１】
0006362616.tif 000026
（式中、
●  Ｒ１は、炭素数１〜３０の直鎖状又は分岐鎖状のアルキル基であり、
●  ｎは、２〜１０の整数である。）と、
−少なくとも１つの置換コハク酸イミド基を有する化合物、および少なくとも２つの置換コハク酸イミド基を有して且つこれら置換コハク酸イミド基同士が当該置換コハク酸イミド基のうちの窒素原子を有する環の頂点でポリアミン基により互いに連結されている化合物から選択される、少なくとも１種の分散剤と、
を含む、潤滑剤組成物。
【請求項２】
請求項１に記載の潤滑剤組成物において、Ｒ１が、炭素数８〜２５の直鎖状又は分岐鎖状のアルキル基である、潤滑剤組成物。
【請求項３】
請求項１または２に記載の潤滑剤組成物において、ｎが、２、３、４または５である、潤滑剤組成物。
【請求項４】
請求項１から３のいずれか一項に記載の潤滑剤組成物において、ポリグリセロールエーテルが、式（Ｉ）で表される化合物のうち、
●  Ｒ１が炭素数１２の直鎖状又は分岐鎖状のアルキル基であり、かつ、ｎが２である化合物、
●  Ｒ１が炭素数１８の直鎖状又は分岐鎖状のアルキル基であり、かつ、ｎが２である化合物、
●  Ｒ１が炭素数１６の直鎖状又は分岐鎖状のアルキル基であり、かつ、ｎが３である化合物、
●  Ｒ１が炭素数１２の直鎖状又は分岐鎖状のアルキル基であり、かつ、ｎが４である化合物、および
●  Ｒ１が炭素数１８の直鎖状又は分岐鎖状のアルキル基であり、かつ、ｎが４である化合物、
から選択される、潤滑剤組成物。
【請求項５】
請求項１から４のいずれか一項に記載の潤滑剤組成物において、分散剤が、下記の式（ＩＩ）又は下記の式（ＩＩＩ）で表される置換コハク酸イミドである、潤滑剤組成物。
【化２】
0006362616.tif 000027
（式中、
●  ｘは、０〜１０の整数であり、
●  ｙは、２〜６の整数であり、
●  Ｒ２は、炭素数８〜４００のアルキル基、炭素数８〜４００のアリール基、炭素数８〜４００のアリールアルキル基、または炭素数８〜４００のアルキルアリール基であり、
●  Ｒ３およびＲ４は、同一又は異なり、互いに独立して、水素原子、炭素数１〜２５の直鎖状又は分岐鎖状のアルキル基、炭素数１〜１２のアルコキシ基、炭素数２〜６のアルケニル基、炭素数２〜１２のヒドロキシ化アルケニル基、または炭素数２〜１２のアルケニルアミン基である。）
【請求項６】
請求項５に記載の潤滑剤組成物において、分散剤が、式（ＩＩ）で表される置換コハク酸イミドのうち、
●  Ｒ２がポリイソブチレン基であり、
●  Ｒ３およびＲ４が水素原子であり、
●  ｘが２であり、
●  ｙが２または３である、
置換コハク酸イミドである、潤滑剤組成物。
【請求項７】
請求項１から６のいずれか一項に記載の潤滑剤組成物において、ポリグリセロールエーテルの含有量が、当該潤滑剤組成物の総重量に対し、０．１〜３重量％である、潤滑剤組成物。
【請求項８】
請求項１から７のいずれか一項に記載の潤滑剤組成物において、分散剤の含有量が、当該潤滑剤組成物の総重量に対し、０．１〜１０重量％である、潤滑剤組成物。
【請求項９】
請求項１から８のいずれか一項に記載の潤滑剤組成物において、質量比（ポリグリセロールエーテルの質量／分散剤の質量）が、５／１〜１／５である、潤滑剤組成物。
【請求項１０】
請求項１から９のいずれか一項に記載の潤滑剤組成物において、さらに、
清浄剤、耐摩耗剤、極圧剤、酸化防止剤、粘度指数向上ポリマー、流動点改善剤、消泡剤、増ちょう剤、およびこれらの混合物から選択される、少なくとも１種の添加剤、
を含む、潤滑剤組成物。
【請求項１１】
請求項１から１０のいずれか一項に記載の潤滑剤組成物を含むエンジンオイル。
【請求項１２】
請求項１から１０のいずれか一項に記載の潤滑剤組成物の、車両の燃費を減少させるための使用。
【請求項１３】
機械部品の摩擦によるエネルギー損失を減少させる方法であって、
機械部品を、請求項１から１０のいずれか一項に記載の潤滑剤組成物に接触させる工程、
を少なくとも含む、方法。
【請求項１４】
車両の燃費を減少させる方法であって、
前記車両のエンジンの機械部品を、請求項１から１０のいずれか一項に記載の潤滑剤組成物に接触させる工程、
を少なくとも含む、方法。
【発明の詳細な説明】
【技術分野】
【０００１】
本発明は、潤滑剤の分野に関する。具体的に述べると、本発明は、少なくとも１種の、分岐鎖を有するポリグリセロールエーテル（以下、分岐ポリグリセロールエーテルと称する）を含む潤滑剤組成物に関する。より具体的に述べると、本発明は、少なくとも１種の分岐ポリグリセロールエーテルと少なくとも１種の分散剤とを含む潤滑剤組成物に関する。本発明にかかる潤滑剤組成物は、優れた燃料経済性を示す。本発明にかかる潤滑剤組成物は、さらに、優れた耐熱性を示す。
【０００２】
本発明は、さらに、この組成物を使用する方法に関する。
【０００３】
本発明は、さらに、この潤滑剤組成物を用いて、乗り物の燃費を減少させる方法に関する。
【０００４】
本発明は、さらに、分岐ポリグリセロールエーテルの、潤滑剤組成物中での摩擦調整剤としての使用に関する。
【背景技術】
【０００５】
前世紀末以降の自動車の世界的普及は、地球温暖化、汚染、安全保障および天然資源の利用に関する問題、特に、埋蔵石油の枯渇に関する問題を提起している。
【０００６】
京都議定書制定後の新たな環境保護基準により、自動車産業は、汚染物質放出量が少なく且つ低燃費の乗り物を製造することが要求されている。結果として、これらの乗り物のエンジンには、ますます厳格な技術的制約が課されている。具体的に述べると、それらのエンジンは、より高い温度域でより高速に稼働する一方、燃料の消費量をより少なく抑えることが所望されている。
【０００７】
自動車エンジン用の潤滑剤の性質は、汚染物質放出量と燃費との両方に影響を及ぼす。自動車エンジン用の潤滑剤の中でも、省エネルギー潤滑剤または「燃料エコ」潤滑剤と称されるものが、上記の新たな基準を満足するために開発された。
【０００８】
具体的に述べると、潤滑剤組成物のエネルギー性能の向上は、その基油に摩擦調整剤、粘度指数向上ポリマー等の特定の添加剤を混合させることによって得られる。
【０００９】
摩擦調整剤の中でも、モリブデンを含有する有機金属化合物がよく使用される。良好な耐摩擦性を得るには、潤滑剤組成物中に、十分な量のモリブデンを含ませる必要がある。これら有機金属化合物の中でも、モリブデンジチオカルバメート類が、モリブデン源として最もよく使用される。
【００１０】
しかし、これらの化合物には、潤滑剤組成物中に含まれるモリブデン元素の量が過剰になると、沈殿物の形成を引き起こすという短所がある。また、これらの化合物は可溶性に乏しいことから、潤滑剤組成物の性質（特に、その粘度）を変える可能性、さらには、その性質を劣化させる可能性さえある。組成物の粘度が高すぎる場合も、逆に組成物の粘度が十分でない場合も、可動部品の運動、エンジンの易始動性、さらには、エンジンが動作温度に到達した後の当該エンジンの保護に不利な影響を及ぼし、特に、最終的な燃費の増加につながる。
【００１１】
また、前述したモリブデンジチオカルバメート類は、灰分の増加をもたらすことから、潤滑剤組成物中に配合される機会が（特に、欧州において）減る可能性がある。
【００１２】
さらに、潤滑剤組成物中に摩擦調整剤が含まれていると、当該組成物の耐熱性が低下する場合があり、これによってエンジンの清浄性が低下する可能性がある。
【００１３】
モリブデン系化合物の代替品を提供するために、これまでに様々な技術解決策が提案されてきた。
【００１４】
特許文献１には、ポリグリセロールエーテルを含有する、燃料経済性が向上した潤滑剤組成物が記載されている。同文献には、さらに、このエーテルに、ポリイソブチレン−コハク酸イミド系のポリマーを組み合わせる構成が記載されている。
【００１５】
しかし、特許文献１に記載されたポリグリセロールエーテルは直鎖構造を有している。また、同文献に記載された潤滑剤組成物は、ＤＬＣ（ダイヤモンドカーボン）タイプの表面等といった、低摩擦係数を特徴とする特定の表面に対して適用されるものである。
【００１６】
さらに、特許文献１には、燃料経済性の定量化や、その潤滑剤組成物の耐熱性についての記載が見られない。
【先行技術文献】
【特許文献】
【００１７】
【特許文献１】欧州特許出願公開第１７８０２５７号明細書
【発明の概要】
【発明が解決しようとする課題】
【００１８】
燃焼経済性基準がますます上げられていることから、潤滑剤組成物中に配合されても当該潤滑組成物を不安定にすることなく燃料経済性を向上させることのできる新規の摩擦調整剤が所望される。
【００１９】
また、潤滑剤組成物中に配合されても当該潤滑剤組成物を不安定にすることなく耐熱性を向上させることのできる新規の摩擦調整剤が所望される。
【００２０】
本発明の目的の一つは、前述した短所の全て又は一部を解消可能な、摩擦調整剤および当該摩擦調整剤を含む潤滑剤組成物を提供することである。
【００２１】
本発明の他の目的は、熱に安定であり、かつモリブデン系化合物を実質的に含まない(very little)又は全く含まない潤滑剤組成物を提供することである。
【００２２】
本発明のさらなる他の目的は、モリブデン系化合物を実質的に又は全く含まないにもかかわらず、モリブデン系化合物と同等又はそれを超える摩擦軽減特性を示し、かつ様々な表面（具体的に述べると、異なる化学的性質を有する表面）に対して適用することのできる潤滑剤組成物を提供することである。
【００２３】
本発明のさらなる他の目的は、簡単に配合可能な潤滑剤組成物を提供することである。
【００２４】
本発明のさらなる他の目的は、省エネルギーを可能にする潤滑方法を提供することである。
【課題を解決するための手段】
【００２５】
以上に鑑みて、本発明は、
−少なくとも１種の基油と、
−下記の式（Ｉ）で表される少なくとも１種のポリグリセロールエーテルと、
を含む、潤滑剤組成物に関する。
【００２６】
【化１】
0006362616.tif 000002
【００２７】
（式中、
●  Ｒ１は、炭素数１〜３０の直鎖状又は分岐鎖状のアルキル基であり、
●  ｎは、２〜１０の整数である。）
【００２８】
本発明の一実施形態において、潤滑剤組成物は、
−少なくとも１種の基油と、
−下記の式（Ｉ）で表される少なくとも１種のポリグリセロールエーテルと、
−少なくとも１種の分散剤と、
を含んでいてもよい。
【００２９】
【化２】
0006362616.tif 000003
【００３０】
（式中、
●  Ｒ１は、炭素数１〜３０の直鎖状又は分岐鎖状のアルキル基であり、
●  ｎは、２〜１０の整数である。）
【００３１】
本発明の他の実施形態において、潤滑剤組成物は、
−少なくとも１種の基油と、
−下記の式（Ｉ）で表される少なくとも１種のポリグリセロールエーテルと、
−少なくとも１つのコハク酸イミド基を有する化合物、コハク酸エステル類、およびコハク酸アミドエステル類から選択される、少なくとも１種の分散剤と、
を含んでいてもよい。
【００３２】
【化３】
0006362616.tif 000004
【００３３】
（式中、
●  Ｒ１は、炭素数１〜３０の直鎖状又は分岐鎖状のアルキル基であり、
●  ｎは、２〜１０の整数である。）
【００３４】
本発明の他の実施形態において、潤滑剤組成物は、
−少なくとも１種の基油と、
−下記の式（Ｉ）で表される少なくとも１種のポリグリセロールエーテルと、
−少なくとも１つの置換コハク酸イミド基を有する化合物、および少なくとも２つの置換コハク酸イミド基を有して且つこれら置換コハク酸イミド基同士が当該置換コハク酸イミド基のうちの窒素原子を有する環の頂点（sommet）でポリアミン基により互いに連結されている化合物から選択される、少なくとも１種の分散剤と、
を含んでいてもよい。
【００３５】
【化４】
0006362616.tif 000005
【００３６】
（式中、
●  Ｒ１は、炭素数１〜３０の直鎖状又は分岐鎖状のアルキル基であり、
●  ｎは、２〜１０の整数である。）
【００３７】
出願人は、驚くべきことに、潤滑剤組成物中に式（Ｉ）で表されるポリグリセロールエーテルを配合することにより、当該組成物の耐摩擦性を向上させることができ、これによって燃料経済性を向上できることを見出した。
【００３８】
したがって、本発明は、モリブデン系化合物を全く又は微量しか含まない（全く又は実質的に含まない）にもかかわらず、同等又はそれを超える耐摩擦性および燃料経済性を示す潤滑剤組成物の処方を可能にする。
【００３９】
有利なことに、本発明にかかる潤滑剤組成物は、向上した熱安定性を示す。
【００４０】
有利なことに、本発明にかかる潤滑剤組成物は、向上した貯蔵安定性を示し、かつ全く又は僅かしか変化しない（全く又は実質的に変化しない）粘度を有する。
【００４１】
有利なことに、潤滑剤組成物中に式（Ｉ）で表される少なくとも１種のポリグリセロールエーテルを配合することにより、エンジン（moteur）がアイドリング状態にあるか又は高速稼働しているときに低燃費を実現することができる。
【００４２】
一実施形態において、Ｒ１は、炭素数８〜２５（好ましくは、炭素数１０〜２０）の直鎖状又は分岐鎖状のアルキル基である。
【００４３】
一実施形態において、ｎは、２、３、４または５（好ましくは、２、３または４）である。
【００４４】
一実施形態において、ポリグリセロールエーテルは、式（Ｉ）で表される化合物のうち、
●  Ｒ１が炭素数１２の直鎖状又は分岐鎖状のアルキル基であり、かつ、ｎが２である化合物、
●  Ｒ１が炭素数１８の直鎖状又は分岐鎖状のアルキル基であり、かつ、ｎが２である化合物、
●  Ｒ１が炭素数１６の直鎖状又は分岐鎖状のアルキル基であり、かつ、ｎが３である化合物、
●  Ｒ１が炭素数１２の直鎖状又は分岐鎖状のアルキル基であり、かつ、ｎが４である化合物、および
●  Ｒ１が炭素数１８の直鎖状又は分岐鎖状のアルキル基であり、かつ、ｎが４である化合物、
から選択される。
【００４５】
一実施形態において、潤滑剤組成物は、少なくとも１種の基油と、下記の式（Ｉ）で表される少なくとも１種のポリグリセロールエーテルと、から本質的に構成される。
【００４６】
【化５】
0006362616.tif 000006
【００４７】
（式中、
●  Ｒ１は、炭素数１〜３０の直鎖状又は分岐鎖状のアルキル基であり、
●  ｎは、２〜１０の整数である。）
【００４８】
一実施形態において、潤滑剤組成物は、少なくとも１種の基油と、少なくとも１種の分散剤と、下記の式（Ｉ）で表される少なくとも１種のポリグリセロールエーテルと、から本質的に構成される。
【００４９】
【化６】
0006362616.tif 000007
【００５０】
（式中、
●  Ｒ１は、炭素数１〜３０の直鎖状又は分岐鎖状のアルキル基であり、
●  ｎは、２〜１０の整数である。）
【００５１】
一実施形態において、分散剤は、少なくとも１つのコハク酸イミド基を有する化合物、コハク酸エステル類、およびコハク酸アミドエステル類から選択される。
【００５２】
一実施形態において、分散剤は、少なくとも１つの置換コハク酸イミド基を有する化合物、および少なくとも２つの置換コハク酸イミド基を有して且つこれら置換コハク酸イミド基同士が当該置換コハク酸イミド基のうちの窒素原子を有する環の頂点でポリアミン基により互いに連結されている化合物から選択される。
【００５３】
一実施形態において、分散剤は、下記の式（ＩＩ）又は下記の式（ＩＩＩ）で表される置換コハク酸イミドである。
【００５４】
【化７】
0006362616.tif 000008
【００５５】
【化８】
0006362616.tif 000009
【００５６】
［式中、
●  ｘは、０〜１０の整数（好ましくは、２、３、４、５または６）であり、
●  ｙは、２〜６の整数（好ましくは、２、３または４）であり、
●  Ｒ２は、炭素数８〜４００（好ましくは、炭素数５０〜２００）のアルキル基、炭素数８〜４００（好ましくは、炭素数５０〜２００）のアリール基、炭素数８〜４００（好ましくは、炭素数５０〜２００）のアリールアルキル基、または炭素数８〜４００（好ましくは、炭素数５０〜２００）のアルキルアリール基であり、
●  Ｒ３およびＲ４は、同一又は異なり、互いに独立して、水素原子、炭素数１〜２５の直鎖状又は分岐鎖状のアルキル基、炭素数１〜１２のアルコキシ基、炭素数２〜６のアルケニル基、炭素数２〜１２のヒドロキシ化アルケニル基、または炭素数２〜１２のアルケニルアミン基である。］
【００５７】
一実施形態において、分散剤は、式（ＩＩ）で表される置換コハク酸イミドのうち、
●  Ｒ２がポリイソブチレン基であり、
●  Ｒ３およびＲ４が水素原子であり、
●  ｘが２であり、
●  ｙが２または３である、
置換コハク酸イミドである。
【００５８】
一実施形態において、ポリグリセロールエーテルの含有量は、潤滑剤組成物の総重量に対し、０．１〜３重量％（好ましくは、０．５〜２重量％）である。
【００５９】
一実施形態において、分散剤の含有量は、潤滑剤組成物の総重量に対し、０．１〜１０重量％（好ましくは０．１〜５重量％、より好ましくは０．１〜３重量％）である。
【００６０】
一実施形態において、質量比（ポリグリセロールエーテルの質量／分散剤の質量）は、５／１〜１／５（好ましくは、２／１〜１／２）である。
【００６１】
一実施形態において、潤滑剤組成物は、さらに、清浄剤、耐摩耗剤、極圧剤、酸化防止剤、粘度指数向上ポリマー、流動点改善（降下）剤、消泡剤、増ちょう剤、およびこれらの混合物から選択される、少なくとも１種の添加剤、を含む。
【００６２】
本発明は、さらに、前述した潤滑剤組成物を含むエンジンオイルに関する。
【００６３】
本発明は、さらに、前述した潤滑剤組成物の、乗り物の燃費を減少させるための使用に関する。
【００６４】
本発明は、さらに、機械部品の摩擦によるエネルギー損失を減少させる方法であって、機械部品を、前述した潤滑剤組成物に接触させる工程、を少なくとも含む、方法に関する。
【００６５】
本発明は、さらに、乗り物の燃費を減少させる方法であって、前記乗り物のエンジンの機械部品を、前述した潤滑剤組成物に接触させる工程、を少なくとも含む、方法に関する。
【００６６】
本発明は、さらに、下記の式（Ｉ）で表されるポリグリセロールエーテルの、潤滑剤組成物中での摩擦調整剤としての使用に関する。
【００６７】
【化９】
0006362616.tif 000010
【００６８】
（式中、
●  Ｒ１は、炭素数１〜３０の直鎖状又は分岐鎖状のアルキル基であり、
●  ｎは、２〜１０の整数である。）
【発明を実施するための形態】
【００６９】
（ポリグリセロールエーテル）
本発明にかかる潤滑剤組成物中に含まれるポリグリセロールエーテルは、下記の式（Ｉ）で表される化合物である。
【００７０】
【化１０】
0006362616.tif 000011
【００７１】
（式中、
●  Ｒ１は、炭素数１〜３０の直鎖状又は分岐鎖状のアルキル基であり、
●  ｎは、２〜１０の整数である。）
【００７２】
一実施形態において、Ｒ１は、炭素数８〜２５（好ましくは、炭素数１０〜２０）の直鎖状又は分岐鎖状のアルキル基である。
【００７３】
本発明の一実施形態において、ｎは、２、３、４または５（好ましくは、２、３または４）である。
【００７４】
本発明の好ましい一実施形態において、ポリグリセロールエーテルは、式（Ｉ）で表される化合物のうち、
●  Ｒ１が炭素数１２の直鎖状又は分岐鎖状のアルキル基であり、かつ、ｎが２である化合物、
●  Ｒ１が炭素数１８の直鎖状又は分岐鎖状のアルキル基であり、かつ、ｎが２である化合物、
●  Ｒ１が炭素数１６の直鎖状又は分岐鎖状のアルキル基であり、かつ、ｎが３である化合物、
●  Ｒ１が炭素数１２の直鎖状又は分岐鎖状のアルキル基であり、かつ、ｎが４である化合物、および
●  Ｒ１が炭素数１８の直鎖状又は分岐鎖状のアルキル基であり、かつ、ｎが４である化合物、
から選択される。
【００７５】
好ましくは、ポリグリセロールエーテルは、式（Ｉ）で表される化合物のうち、Ｒ１が炭素数１２の直鎖状又は分岐鎖状のアルキル基であり、かつ、ｎが２である化合物から選択される。
【００７６】
本発明にかかるポリグリセロールエーテルとして、例えば、Ｃｈｉｍｅｘ社から販売されているＣｈｉｍｅｘａｎｅ  ＮＶ、Ｃｈｉｍｅｘａｎｅ  ＮＢ、Ｃｈｉｍｅｘａｎｅ  ＮＬ、Ｃｈｉｍｅｘａｎｅ  ＮＡ、Ｃｈｉｍｅｘａｎｅ  ＮＣ等が挙げられる。
【００７７】
本発明の一実施形態において、式（Ｉ）で表されるポリグリセロールエーテルの含有量は、潤滑剤組成物の総重量に対し、０．１〜３重量％、好ましくは０．５〜２重量％である。
【００７８】
本発明の他の主題は、下記の式（Ｉ）で表されるポリグリセロールエーテルの、潤滑剤組成物中での摩擦調整剤としての使用に関する。
【００７９】
【化１１】
0006362616.tif 000012
【００８０】
（式中、
●  Ｒ１は、炭素数１〜３０の直鎖状又は分岐鎖状のアルキル基であり、
●  ｎは、２〜１０の整数である。）
【００８１】
潤滑剤組成物中の式（Ｉ）で表されるポリグリセロールエーテルについて説明する全ての特性および好適な構成は、式（Ｉ）で表されるポリグリセロールエーテルの、潤滑剤組成物中での摩擦調整剤としての使用にも当てはまる。
【００８２】
（その他の構成成分）
本発明の一実施形態において、潤滑剤組成物は、さらに、少なくとも１種の分散剤を含む。
【００８３】
具体的に述べると、本発明において「分散剤」とは、潤滑剤組成物の使用時（特に、エンジンオイルの形態での使用時）に発生する酸化副生成物及び未燃焼生成物（すす）で構成される不溶性の固体不純物を、懸濁状態に維持してその除去を確実にする、あらゆる化合物のことを意味する。
【００８４】
一実施形態において、分散剤は、少なくとも１つのコハク酸イミド基を有する化合物、コハク酸エステル類、およびコハク酸アミドエステル類から選択され、好ましくは、少なくとも１つのコハク酸イミド基を有する化合物から選択される。
【００８５】
本発明の好ましい一実施形態において、分散剤は、少なくとも１つの置換コハク酸イミド基を有する化合物、および少なくとも２つの置換コハク酸イミド基を有して且つこれら置換コハク酸イミド基同士が当該置換コハク酸イミド基のうちの窒素原子を有する環の頂点でポリアミン基により互いに連結されている化合物から選択される。
【００８６】
本発明において「置換コハク酸イミド基」とは、少なくとも１つの環の頂点が、炭素数８〜４００の炭化水素基によって置換されているコハク酸イミド基のことを意味する。
【００８７】
好ましくは、分散剤は、下記の式（ＩＩ）又は下記の式（ＩＩＩ）で表される置換コハク酸イミドである。
【００８８】
【化１２】
0006362616.tif 000013
【００８９】
【化１３】
0006362616.tif 000014
【００９０】
［式中、
●  ｘは、０〜１０の整数（好ましくは、２、３、４、５または６）であり、
●  ｙは、２〜６の整数（好ましくは、２、３または４）であり、
●  Ｒ２は、炭素数８〜４００（好ましくは、炭素数５０〜２００）のアルキル基、炭素数８〜４００（好ましくは、炭素数５０〜２００）のアリール基、炭素数８〜４００（好ましくは、炭素数５０〜２００）のアリールアルキル基、または炭素数８〜４００（好ましくは、炭素数５０〜２００）のアルキルアリール基であり、
●  Ｒ３およびＲ４は、同一又は異なり、互いに独立して、水素原子、炭素数１〜２５の直鎖状又は分岐鎖状のアルキル基、炭素数１〜１２のアルコキシ基、炭素数２〜６のアルケニル基、炭素数２〜１２のヒドロキシ化アルケニル基、または炭素数２〜１２のアルケニルアミン基である。］
【００９１】
好ましくは、分散剤は、下記の式（ＩＩ）又は下記の式（ＩＩＩ）で表される置換コハク酸イミドのうち、Ｒ２がポリイソブチレン基である置換コハク酸イミドである。
【００９２】
好ましくは、Ｒ２は、分子量が８００〜２，５００ｇ／モルのポリイソブチレン基である。
【００９３】
より好ましくは、分散剤は、式（ＩＩ）で表される置換コハク酸イミドのうち、
●  Ｒ２がポリイソブチレン基であり、
●  Ｒ３およびＲ４が水素原子であり、
●  ｘが２であり、
●  ｙが２または３である、
置換コハク酸イミドである。
【００９４】
本発明にかかる分散剤として、例えば、Ｃｈｅｖｒｏｎ  Ｏｒｏｎｉｔｅ社から販売されているＯＬＯＡ  １１０００、ＯＬＯＡ  ３７１、Ａｆｔｏｎ社から販売されているＨｉＴＥＣ  ６４４等が挙げられる。
【００９５】
本発明の一実施形態において、分散剤［特に、式（ＩＩ）又は式（ＩＩＩ）で表される分散剤］の含有量は、潤滑剤組成物の総重量に対し、０．１〜１０重量％、好ましくは０．１〜５重量％、より好ましくは０．１〜３重量％である。
【００９６】
本発明の一実施形態において、質量比（ポリグリセロールエーテルの質量／分散剤の質量）は、５／１〜１／５、好ましくは、２／１〜１／２である。
【００９７】
（基油）
本発明にかかる潤滑剤組成物は、少なくとも１種の基油を含む。基油は、ＡＰＩ（米国石油協会）分類のグループ１〜５の基油［あるいは、ＡＴＩＥＬ（欧州自動車工業会）分類の等価物）］から選択される一種または混合物（基油混合物）であり得る。
【００９８】
基油または基油混合物は、天然由来のものであっても合成由来のものであってもよい。
【００９９】
基油または基油混合物の含有量は、潤滑剤組成物の総質量に対し、少なくとも５０質量％としてもよく、好ましくは少なくとも６０質量％、より好ましくは少なくとも７０質量％、さらに好ましくは少なくとも８０質量％である。
【０１００】
以下の表に、ＡＰＩ分類の各グループの基油をまとめた（ＡＰＩから1996年12月刊行のNo.1509 Engine Oil Licensing and Certification System appendix E, 14th Edition）。
【０１０１】
【表１】
0006362616.tif 000015
【０１０２】
グループ１〜５の基油は、植物由来のもの、動物由来のもの、および鉱物由来のもの（鉱物基油）であってもよい。「鉱物基油」と称される基油には、原油を常圧蒸留や減圧蒸留した後、精製工程（溶剤抽出、脱アスファルト、溶剤脱ろう、水添処理、水素化分解・水素化異性化、水素化仕上げ等）を行うことによって得られるあらゆるタイプの基油が含まれる。
【０１０３】
本発明にかかる組成物中に含まれる基油は、例えば、カルボン酸とアルコールとの所定のエステルや、ポリαオレフィン等の合成由来の基油（合成基油）であってもよい。ポリαオレフィンを基油として使用する場合、そのポリαオレフィンは、本発明にかかる組成物中に含まれ得る重質ポリαオレフィンとは異なり、例えば、炭素数４〜３２のモノマー（例えば、オクテン、デセン等）から得られる、１００℃における粘度（ＡＳＴＭ  Ｄ４４５規格に準拠した測定値）が１．５〜１５ｃＳｔのポリαオレフィンとされる。
【０１０４】
合成基油と鉱物基油との混合物が使用されてもよい。
【０１０５】
好ましくは、本発明にかかる組成物は、１００℃での動粘度（ＫＶ１００）が、国際的なＡＳＴＭ  Ｄ４４５規格に準拠した測定値で、４〜２５ｃＳｔ、より好ましくは５〜２２ｃＳｔ、さらに好ましくは５〜１３ｃＳｔとなるように処方される。
【０１０６】
好ましくは、本発明にかかる組成物は、粘度指数が、１４０以上、より好ましくは１５０以上、さらに好ましくは１６０以上となるように処方される。
【０１０７】
本発明のさらなる他の主題は、本発明にかかる潤滑剤組成物を含むオイル（好ましくは、エンジンオイル）である。
【０１０８】
潤滑剤組成物について説明する全ての特性および好適な構成は、本発明にかかるオイルにも当てはまる。
【０１０９】
一実施形態において、本発明にかかるオイルは、ＳＡＥ  Ｊ３００分類によるグレードが、１００℃での動粘度（ＫＶ１００）が国際的なＡＳＴＭ  Ｄ４４５規格に準拠した測定値で５．６〜１２．５ｃＳｔとなる０Ｗ−２０〜５Ｗ−３０である。
【０１１０】
他の実施形態において、本発明にかかるオイルは、粘度指数が、国際的なＡＳＴＭ  Ｄ２２３０規格に準拠した測定値で、１３０以上、好ましくは１５０以上、より好ましくは１６０以上である。
【０１１１】
好ましくは、エンジンのオイルの処方には、硫黄分が０．３％未満の基油（例えば、グループ３の鉱物基油）、硫黄を含まない合成基油（好ましくは、グループ４の基油）、またはこれらの混合物が使用される。
【０１１２】
（さらなる種類の添加剤）
一実施形態において、本発明にかかる潤滑剤組成物は、さらなる種類の添加剤として、少なくとも１種の添加剤を含む。このような添加剤は、耐摩耗剤、極圧剤、酸化防止剤、過塩基性の清浄剤、過塩基性でない清浄剤、粘度指数向上ポリマー、流動点改善剤、前述した分散剤とは異なる種類の分散剤（別種の分散剤）、消泡剤、増ちょう剤、およびこれらの混合物から選択される。これら少なくとも１種の添加剤は、単独でおよび／またはパッケージ添加剤として添加され得る。どの添加剤を選択して添加するかは、潤滑剤組成物の用途によって変わる。潤滑剤組成物の目的に応じてどの添加剤を選択しどのように使用するかは、当業者にとって周知である。
【０１１３】
本発明の一実施形態において、前記少なくとも１種の添加剤は、エンジンオイル用途に適した添加剤とされる。
【０１１４】
一実施形態において、潤滑剤組成物は、少なくとも１種の耐摩耗剤、少なくとも１種の極圧剤、またはこれらの混合物を含んでもよい。耐摩耗剤および極圧剤は、保護対象の摩擦面に吸着されることで保護膜を形成しその表面を保護する。幅広い種類の耐摩耗剤があるが、潤滑剤組成物（特に、エンジンオイル）中に最もよく配合される種類の耐摩耗剤は、含リン系の耐摩耗剤、含硫黄系の耐摩耗剤、例えば、金属アルキルチオホスフェート類、具体的には、亜鉛アルキルチオホスフェート類、より具体的には、亜鉛ジアルキルジチオホスフェート（ＺｎＤＴＰ）類である。その中でも好適な化合物は、
式：Ｚｎ（（ＳＰ（Ｓ）（ＯＲ５）（ＯＲ６））２
［式中、Ｒ５およびＲ６は、同一または異なり、互いに独立して、アルキル基、好ましくは炭素数１〜１８のアルキル基である。］で表される化合物である。本発明にかかる潤滑剤組成物中に配合可能な耐摩耗剤として、その他にも、アミンホスフェート類が挙げられる。ただし、これらの添加剤が供給するリンは、灰分の生成につながるので、自動車の触媒システムにとって有害な触媒毒を生じ得る。しかしながら、このような副作用は、アミンホスフェート類を、リンを供さない添加物（例えばポリスルフィド類、具体的には含硫黄オレフィン類）で部分的に置き換えることにより抑えることが可能である。
【０１１５】
一実施形態において、特に、エンジン用途では、オイル中の耐摩耗剤及び極圧剤の含有量は、エンジンオイルの総質量に対し、０．０１〜６質量％、好ましくは０．０５〜４質量％、より好ましくは０．１〜２質量％である。
【０１１６】
本発明の一実施形態において、潤滑剤組成物は、前述した摩擦調整剤とは異なる種類の摩擦調整剤（別種の摩擦調整剤）として、少なくとも１種のさらなる摩擦調整剤を含む。さらなる摩擦調整剤は、金属元素を供給する化合物であってもよいし、無灰化合物であってもよい。金属元素を供給する化合物として、Ｍｏ、Ｓｂ、Ｓｎ、Ｆｅ、Ｃｕ、Ｚｎ等の遷移金属の錯体が挙げられ、このような遷移金属錯体の配位子は、酸素原子含有炭化水素化合物、窒素原子含有炭化水素化合物、硫黄原子含有炭化水素化合物又はリン原子含有炭化水素化合物であってもよい。無灰摩擦調整剤は、有機由来の摩擦調整剤であり、脂肪酸とポリオールとのモノエステル類、アルコキシ化アミン類、アルコキシ化脂肪アミン類(alkoxylated fatty amines)、脂肪エポキシド類(fatty epoxides)、含ホウ素脂肪エポキシド類(borated fatty epoxides)、脂肪アミン類(fatty amines)、および脂肪酸のグリセロールエステル類から選択され得る。本発明において「脂肪（fatty）」とは、炭素数１０〜２４の炭化水素基のことを意味する。
【０１１７】
一実施形態において、潤滑剤組成物中の前記さらなる摩擦調整剤の含有量は、当該潤滑剤組成物の総質量に対し、０．０１〜２質量％、好ましくは０．１〜１．５質量％である。
【０１１８】
エンジン用途の一実施形態では、エンジンオイル中の前記さらなる摩擦調整剤の含有量が、当該エンジンオイルの総質量に対し、０．０１〜５質量％、好ましくは０．１〜２質量％である。
【０１１９】
一実施形態において、潤滑剤組成物は、さらに少なくとも１種の酸化防止剤を含む。酸化防止剤は、使用中の潤滑剤組成物（特に、使用中のエンジンオイル）の劣化を遅らせて、具体的には、潤滑剤組成物の劣化に起因するデポジット（堆積物）やスラッジの形成や潤滑剤組成物（特に、エンジンオイル）の粘度増加を抑制する。具体的に述べると、酸化防止剤は、ラジカル抑制剤またはヒドロペルオキシド分解剤として作用する。よく使用される酸化防止剤として、フェノール系の酸化防止剤、アミン系の酸化防止剤、含リン系の酸化防止剤、および含硫黄系の酸化防止剤が挙げられる。これらの酸化防止剤の一部（例えば、含リン系の酸化防止剤や含硫黄系の酸化防止剤）は、灰分の生成につながる場合がある。他方で、フェノール系の酸化防止剤には、無灰のものもあれば、中性金属塩又は塩基性金属塩の形態のものもある。
【０１２０】
具体例として、酸化防止剤は、ヒンダード（立体障害性）フェノール類、ヒンダードフェノールエステル類、チオエーテル架橋を有するヒンダードフェノール類、ジフェニルアミン類、少なくとも１つのＣ１〜Ｃ１２アルキル基によって置換されたジフェニルアミン類、Ｎ，Ｎ’−ジアルキルアリールジアミン類、およびこれらの混合物から選択される。本発明において「ヒンダードフェノール」とは、アルコール官能基が結合した炭素からみて少なくとも１つの隣接炭素が少なくとも１つのＣ１〜Ｃ１０アルキル基（好ましくはＣ１〜Ｃ６アルキル基、より好ましくはＣ４アルキル基、さらに好ましくはｔｅｒｔ−ブチル基）によって置換されたフェノール基を含む化合物のことを意味する。他の種類の酸化防止剤として、アミン系化合物が挙げられる。任意で、このアミン系化合物は、フェノール系の酸化防止剤と組み合わせて使用されてもよい。
アミン系の酸化防止剤の典型例としては、
式：Ｒ７Ｒ８Ｒ９Ｎで表される芳香族アミン類が挙げられる。
［式中、Ｒ７は脂肪族基または置換されていてもよい芳香族基であり、Ｒ８は置換されていてもよい芳香族基であり、Ｒ９は水素原子、アルキル基、アリール基または式：Ｒ１０Ｓ（Ｏ）ｚＲ１１で表される基（式中、Ｒ１０はアルキレン基またはアルケニレン基であり、Ｒ１１はアルキル基、アルケニル基またはアリール基であり、ｚは０、１または２の整数である）である。］
酸化防止剤として、その他にも、含硫黄アルキルフェノール類、そのアルカリ金属塩、そのアルカリ土類金属塩などが使用可能である。さらなる他の種類の酸化防止剤として、銅含有化合物が挙げられる。このような銅含有化合物の例として、銅チオホスフェート類、銅ジチオホスフェート類、カルボン酸の銅塩、銅ジチオカルバメート類、銅スルホネート類、銅フェネート類、銅アセチルアセトネート類などが挙げられる。また、コハク酸またはコハク酸無水物の銅（Ｉ）塩および銅（ＩＩ）塩も使用可能である。
【０１２１】
本発明にかかる潤滑剤組成物は、当業者にとって公知の酸化防止剤であれば、どの種類の酸化防止剤を含んでいてもよい。好ましくは、無灰酸化防止剤が使用される。
【０１２２】
一実施形態において、本発明にかかる潤滑剤組成物は、少なくとも１種の酸化防止剤を、当該潤滑剤組成物の総質量に対し、０．５〜２重量％含有する。
【０１２３】
一実施形態において、本発明にかかる潤滑剤組成物は、清浄剤を含んでもよい。具体的に述べると、清浄剤は、酸化・燃焼の副生成物を溶解させることで金属部品の表面上のデポジット形成を抑える。本発明にかかる潤滑剤組成物中に配合される清浄剤は、当業者にとって周知の清浄剤であればよい。潤滑剤組成物を処方する際によく使用される清浄剤として、親油性長鎖炭化水素と親水性の頭部とを有するアニオン性化合物が挙げられる。これに結合するカチオンは、典型的に、アルカリ金属またはアルカリ土類金属のカチオンである。好ましくは、清浄剤は、カルボン酸のアルカリ金属塩及びアルカリ土類金属塩、スルホン酸のアルカリ金属塩及びアルカリ土類金属塩（スルホネート類）、サリチル酸のアルカリ金属塩及びアルカリ土類金属塩（サリチレート類）、ナフテン酸のアルカリ金属塩及びアルカリ土類金属塩（ナフテネート類）、ならびに石炭酸のアルカリ金属塩及びアルカリ土類金属塩（フェネート類）から選択される。好ましくは、そのアルカリ金属またはアルカリ土類金属は、カルシウム、マグネシウム、ナトリウム、またはバリウムである。これらの金属塩は、化学量論量にほぼ等しい量の金属または該化学量論量を超える量の金属を有するものであってもよい。後者の場合の清浄剤は、過塩基性の清浄剤と称される。この過塩基性の清浄剤に過塩基性を付与する余剰の金属は、油に溶解できない金属塩、例えば炭酸塩、水酸化物、シュウ酸塩、酢酸塩、グルタミン酸塩などの形で存在し、好ましくは炭酸塩の形で存在する。
【０１２４】
一実施形態において、本発明にかかる潤滑剤組成物は、清浄剤を、当該潤滑剤組成物の総質量に対し、２〜４重量％含有する。
【０１２５】
一実施形態において、潤滑剤組成物は、少なくとも１種の粘度指数向上ポリマーを含む。具体的に述べると、粘度指数向上ポリマーは、良好な低温度での性能を確保すると同時に高温時の粘度を抑えることを可能にするので、特にマルチグレードのエンジンオイルを処方するのに有用である。このような化合物として、例えば：高分子エステル類；オレフィンコポリマー（ＯＣＰ）；スチレン、ブタジエン又はイソプレンの、水添型又は非水添型の、ホモポリマーまたはコポリマー；ポリメタクリレート（ＰＭＡ）；などが挙げられる。
【０１２６】
一実施形態において、本発明にかかる潤滑剤組成物は、粘度指数向上ポリマーを、当該潤滑剤組成物の総質量に対し、１〜１５質量％含有する。
【０１２７】
エンジン用途の一実施形態では、本発明にかかるエンジンオイルが、粘度指数向上ポリマーを、当該エンジンオイルの総質量に対し、０．１〜１０質量％、好ましくは０．５〜５質量％、より好ましくは１〜２質量％含有する。
【０１２８】
一実施形態において、本発明にかかる潤滑剤組成物は、少なくとも１種の流動点降下剤を含む。具体的に述べると、流動点降下剤は、パラフィン結晶の形成を遅らせることにより、低温時での潤滑剤組成物の挙動を向上させる。流動点降下剤の例として、アルキルポリメタクリレート、ポリアクリレート、ポリアリールアミド、ポリアルキルフェノール、ポリアルキルナフタレン、アルキル化ポリスチレンなどが挙げられる。
【０１２９】
一実施形態において、本発明にかかる潤滑剤組成物は、式（ＩＩ）又は式（ＩＩＩ）で表される分散剤とは異なる種類の分散剤（別種の分散剤）として、少なくとも１種のさらなる分散剤を含む。さらなる分散剤は、式（ＩＩ）又は式（ＩＩＩ）で表される分散剤とは異なるコハク酸イミド類、およびマンニッヒ塩基からなる群から選択され得る。
【０１３０】
一実施形態において、本発明にかかる潤滑剤組成物中の分散剤の総質量［式（ＩＩ）又は式（ＩＩＩ）で表される分散剤および少なくとも１種のさらなる分散剤も含めた分散剤の質量］は、当該潤滑剤組成物の総質量に対し、０．２〜１０質量％である。
【０１３１】
本発明のさらなる他の主題は、
−基油を５０〜９０％と、
−式（Ｉ）で表されるポリグリセロールエーテルを０．１〜３％と、
を含む、潤滑剤組成物である。
【０１３２】
基油について説明する全ての特性および好適な構成、ならびに式（Ｉ）で表されるポリグリセロールエーテルについて説明する全ての特性および好適な構成は、この潤滑剤組成物にも当てはまる。
【０１３３】
本発明のさらなる他の主題は、
−基油を５０〜９０％と、
−式（Ｉ）で表されるポリグリセロールエーテルを０．１〜３％と、
−分散剤を０．１〜１０％と、
を含む、潤滑剤組成物である。
【０１３４】
基油について説明する全ての特性および好適な構成、式（Ｉ）で表されるポリグリセロールエーテルについて説明する全ての特性および好適な構成、ならびに分散剤について説明する全ての特性および好適な構成は、この潤滑剤組成物にも当てはまる。
【０１３５】
本発明のさらなる他の主題は、
−基油を５０〜９０％と、
−式（Ｉ）で表されるポリグリセロールエーテルを０．１〜３％と、
−分散剤を０．１〜１０％と、
から本質的に構成される、潤滑剤組成物である。
【０１３６】
本発明のさらなる他の主題は、
−式（Ｉ）で表される少なくとも１種のポリグリセロールエーテルと、
−少なくとも１つのコハク酸イミド基を有する、少なくとも１種の分散剤と、
を含む、組成物である。
【０１３７】
式（Ｉ）で表されるポリグリセロールエーテルについて説明する全ての特性および好適な構成、ならびに少なくとも１つのコハク酸イミド基を有する分散剤について説明する全ての特性および好適な構成は、この潤滑剤組成物にも当てはまる。
【０１３８】
本発明のさらなる他の主題は、
−式（Ｉ）で表される少なくとも１種のポリグリセロールエーテルと、
−少なくとも１つのコハク酸イミド基を有する、少なくとも１種の分散剤と、
−さらなる種類の添加剤として、少なくとも１種の添加剤と、
を含む、組成物である。
【０１３９】
式（Ｉ）で表されるポリグリセロールエーテルについて説明する全ての特性および好適な構成、少なくとも１つのコハク酸イミド基を有する分散剤について説明する全ての特性および好適な構成、ならびにさらなる種類の添加剤について説明する全ての特性および好適な構成は、この組成物にも当てはまる。
【０１４０】
一実施形態において、この組成物は、
−式（Ｉ）で表されるポリグリセロールエーテルを１０〜４０％（好ましくは、２０〜４０％）と、
−少なくとも１つのコハク酸イミド基を有する分散剤を１０〜４０％（好ましくは、２０〜４０％）と、
−さらなる種類の添加剤として、少なくとも１種の添加剤を２０〜５０％（好ましくは、３０〜５０％）と、
を含む。
【０１４１】
一実施形態において、質量比［式（Ｉ）で表されるポリグリセロールエーテルの質量：少なくとも１つのコハク酸イミド基を有する分散剤の質量］は、１：１〜１：６５である。
【０１４２】
本発明の一実施形態では、本発明にかかる潤滑剤組成物を得るために、本発明にかかる前記組成物に、少なくとも１種の基油が添加される。
【０１４３】
（部品）
本発明にかかる潤滑剤組成物は、少なくとも１つの機械部品または少なくとも１つの機械装置を潤滑することができる。そのような機械部品または機械装置の具体例として、軸受、ギヤ、自在継手、トランスミッション、ピストン／リング／ライナーのシステム、カムシャフト、クラッチ、マニュアルギヤボックス、オートマチックギヤボックス、ロッカーアーム、クランクケース等が挙げられる。
【０１４４】
本発明のさらなる他の主題は、機械部品の摩擦によるエネルギー損失を減少させる方法であって、機械部品を、本発明にかかる潤滑剤組成物に接触させる工程、を少なくとも含む、方法である。
【０１４５】
潤滑剤組成物について説明する全ての特性および好適な構成は、機械部品の摩擦によるエネルギー損失を減少させる本発明にかかる方法にも当てはまる。
【０１４６】
本発明のさらなる他の主題は、乗り物の燃費を減少させる方法であって、前記乗り物のエンジンの少なくとも１つの機械部品を、本発明にかかる潤滑剤組成物に接触させる工程、を少なくとも含む、方法である。
【０１４７】
潤滑剤組成物について説明する全ての特性および好適な構成は、乗り物の燃費を減少させる本発明にかかる方法にも当てはまる。
【０１４８】
本発明のさらなる他の主題は、本発明にかかる潤滑剤組成物の、乗り物の燃費を減少させるための使用である。
【０１４９】
潤滑剤組成物について説明する全ての特性および好適な構成は、乗り物の燃費を減少させるための本発明にかかる使用にも当てはまる。
【０１５０】
前記乗り物は、２ストローク内燃エンジンまたは４ストローク内燃エンジンを備え得る。
【０１５１】
前記エンジンは、標準ガソリンが供給されるガソリンエンジンまたは標準ディーゼルが供給されるディーゼルエンジンであり得る。本発明において「標準ガソリン」または「標準ディーゼル」が供給されるエンジンとは、鉱物由来の油（鉱油）（例えば、石油など）を精製することで得られた燃料が供給されるエンジンのことを意味する。また、前記エンジンは、再生可能材料に由来する油に基づく燃料（例えば、アルコール系の燃料、バイオディーゼル燃料など）が供給される（で駆動する）ように改造されたガソリンエンジンまたはディーゼルエンジンであり得る。
【０１５２】
前記乗り物は、軽量車両（light vehicle）（例えば、自動車、自動二輪車など）であり得る。また、前記乗り物は、重量車両（lorry又はpoids lourd）、建築機械、または船舶であり得る。
【０１５３】
本発明のさらなる他の主題は、本発明にかかる潤滑剤組成物の、金属部品（好ましくは、軸受における金属部品、ギヤにおける金属部品、または自在継手における金属部品）の摩擦によるエネルギー損失を減少させるための使用である。
【０１５４】
潤滑剤組成物について説明する全ての特性および好適な構成は、金属部品の摩擦によるエネルギー損失を減少させるための本発明にかかる使用にも当てはまる。
【実施例】
【０１５５】
以下の実施例を参照することにより、本発明の様々な主題およびそれらの実施態様を、より良く理解することができる。なお、これらの実施例はあくまでも例示に過ぎず、本発明を限定するものではない。
【０１５６】
（実施例１：本発明にかかる潤滑剤組成物の摩擦係数の評価）
以下の表１に従って、対照の潤滑剤組成物を調製した。
【０１５７】
【表２】
0006362616.tif 000016
【０１５８】
以下の表２に従って、組成物Ｂ（比較例）および組成物Ｃ〜Ｅ（本発明）を調製した。なお、表中の百分率は「質量％」を意味する。
【０１５９】
【表３】
0006362616.tif 000017
【０１６０】
各組成物の摩擦係数を、キャメロンプリント往復動摩擦試験機ＴＥ−７７を用いて、キャメロンプリントラボ摩擦試験法により評価した。この試験ベンチは、試験対象の潤滑剤組成物中に浸漬された円筒−平面摩擦計により構成される。試験中は、法線方向の力に対する接線方向の力を計測することにより摩擦係数を監視する。具体的には、円筒（ＳＫＦ  １００Ｃ６）（長さ＝１０ｍｍ；および直径＝７ｍｍ）を、試験対象の潤滑剤組成物中に浸漬された鋼製の平板に押し当てる。各試験ごとに、潤滑組成物の温度を設定する。また、正弦波的な往復運動を、定められた周波数で加える。各試験の試験時間は、１００秒間である。
【０１６１】
３種類の荷重レベル（５２Ｎ、１１５Ｎおよび２５５Ｎ）を用いて調べた。
【０１６２】
以下の表３に、各組成物Ａ、Ｂ、Ｃ、ＤおよびＥを用いて得られる、様々な温度、荷重および周波数での摩擦係数値を示す。
【０１６３】
【表４】
0006362616.tif 000018
【０１６４】
上記の結果から、潤滑剤組成物中に、式（Ｉ）で表される本発明にかかるポリグリセロールエーテルと、少なくとも１つの置換コハク酸イミド基を有する分散剤とを組合せて配合することにより、その潤滑剤組成物の摩擦係数を、対照の組成物に比べて顕著に減少できることが分かる。
【０１６５】
同じく注目すべきは、式（Ｉ）で表される本発明にかかるポリグリセロールエーテルを用いて得られる摩擦係数が、モリブデン系の摩擦調整剤を用いて得られる摩擦係数に極めて近い数値、あるいは、それを下回る数値を示す点である。
【０１６６】
（実施例２：本発明にかかる潤滑剤組成物の燃料経済性の評価）
−対照の組成物Ａを９９．７重量％と、
−モリブデン系の摩擦調整剤（Ａｄｅｋａ社製のＳａｋｕｒａ−ｌｕｂｅ ５２５）を０．３重量％と、
を含む、組成物Ｆ（比較例）を調製した。
【０１６７】
以下の方法に従って、燃料経済性（燃料エコ特性）を、対照の組成物Ａと実施例１の組成物Ｄと組成物Ｆとの間で評価する：これらの試験は、Ｋ９Ｋ７２４エンジンで実施する。このエンジンの各種特性は、下記のとおりである：
４気筒４ストロークターボ過給エンジン；
シリンダ容積：１，４６１ｃｍ３；
出力：３，７５０ｒｐｍで６３ｋＷ；および
最大トルク：１，９００ｒｐｍで２００Ｎｍ。
【０１６８】
本試験は、１０個の動作ポイントにわたって一連の測定を実行することで構成される（以下の表４を参照）。これら１０個のポイントは、ＮＥＤＣ（新欧州ドライビングサイクル）の７５％に相当する。
【０１６９】
【表５】
0006362616.tif 000019
【０１７０】
測定は、３つの熱フェーズにかけて行う：
−フェーズ１冷間は、クーラントの温度＝４０℃（試験対象の潤滑剤組成物の温度＝４５℃）に相当；および
−フェーズ２熱間は、クーラントの温度＝９０℃（試験対象の潤滑剤組成物の温度＝１００℃）に相当。
【０１７１】
各種流体の管理は、以下のようにして行う：
−燃料の温度を、燃料管理システム（ＡＶＬ社製のＦｕｅｌ  Ｅｘａｃｔ）によって管理し、瞬間的な測定値が得られるようにする；および
−試験対象の組成物の温度を、クーラントを介して車載の熱交換器によって管理する。
【０１７２】
また、各種流体の温度は、精密に制御する：
−水の温度変化および試験対象の潤滑剤組成物の温度変動は、０．１℃未満とする；および
−燃料の温度変動は、０．１℃未満とする。
【０１７３】
燃費指数を、総消費（ｋｇ／時）および累積時間重み付けから算出し、各フェーズでの向上を百分率（％）で表す。
【０１７４】
以下の表５に、結果をまとめる。減少率が大きいほど、燃料経済性が高いことを意味する。
【０１７５】
【表６】
0006362616.tif 000020
【０１７６】
上記の結果から、潤滑剤組成物中に、式（Ｉ）で表されるポリグリセロールエーテルと、少なくとも１つの置換コハク酸イミド基を有する分散剤とを組合せて配合することにより、モリブデン系の摩擦調整剤と、少なくとも１つの置換コハク酸イミド基を有する分散剤との組合せで得られる燃料経済性に匹敵する顕著な燃料経済性が得られることが分かる。
【０１７７】
（実施例３：本発明にかかる潤滑剤組成物の熱安定性の評価）
以下の表６に従って、組成物Ｇ、ＨおよびＩ（比較例）、組成物Ｋ（比較例）および組成物Ｊ（本発明）を調製した。なお、表中の百分率は「質量％」を意味する。
【０１７８】
なお、表中の記載において、
基油は、ポリαオレフィン；
化合物１は、亜鉛ジチオホスフェート（Ｌｕｂｒｉｚｏｌ社製のＬＺ  １３７１）；
摩擦調整剤２は、モリブデン系の摩擦調整剤（Ａｄｅｋａ社製のＳａｋｕｒａ−Ｌｕｂｅ  ５２５）；
摩擦調整剤３は、モリブデン系の摩擦調整剤（Ｖａｎｄｅｒｂｉｌｔ社製のＭｏｌｙｖａｎ  ８５５）；
化合物４は、式（Ｉ）で表されるポリグリセロールエーテル（式中、ＲはＣ１２アルキル基であり、ｎは２である）（Ｃｈｉｍｅｘ社製のＣｈｉｍｅｘａｎｅ  ＮＶ）；
分散剤５は、置換コハク酸イミド基を有する分散剤（Ｃｈｅｖｒｏｎ  Ｏｒｏｎｉｔｅ社製のＯＬＯＡ  １１０００）；および
ポリマー６は、水添型のポリジエン（Ｓｈｅｌｌ社製のＳｈｅｌｌｖｉｓ  ２６１）；
である。
【０１７９】
【表７】
0006362616.tif 000021
【０１８０】
組成物Ｇ、Ｈ、Ｉ、ＪおよびＫを、等粘度で互いに比較する。ＡＳＴＭ  Ｄ４４５規格に準拠した測定値で、これら各組成物の１００℃での動粘度＝約８ｃＳｔとするには、各種構成成分の有無に応じて、基油の含有質量およびポリマー６の含有質量を調節する必要がある。
【０１８１】
つまり、組成物Ｇについては、動粘度＝約８ｃＳｔとするのにポリマー６を５重量％に設定する必要があるのに対し、組成物Ｈ、Ｉ、ＪおよびＫについては、同じ動粘度（約８ｃＳｔ）とするのにポリマー６を６重量％に設定する必要がある。
【０１８２】
ＧＦＣ  Ｌｕ−２７−Ｔ−０７規格に基づく下記のマイクロコーキング法により、各組成物の熱安定性を測定した（ＭＣＴまたはマイクロコーキング試験）。
【０１８３】
マイクロコーキング法の目的は：
●  潤滑剤組成物の、高温に曝された際にデポジットを形成する傾向（熱安定性）を評価すること；および
●  エンジン試験下の潤滑剤組成物の挙動を予測すること。
【０１８４】
試験対象の潤滑剤組成物を、０．６ｃｍ３の量で、アルミニウム系合金プレート上の溝に配置した後、一端は加熱して（高温ポイント）、他端は所定の温度に設定する（低温ポイント）。
【０１８５】
これら２つのポイント間の温度を測定することにより、上記溝の２つの端部（両端）間の直線的な熱勾配を推定することができる。
【０１８６】
試験期間は、標準で９０分間である。
【０１８７】
試験終了後、デポジットの形成温度を決定し、ＣＥＣ  Ｍ−０２−Ａ−７８法に準拠して評価する。
【０１８８】
以下の表７に、結果をまとめる。ＭＣＴ値が高いほど、潤滑剤組成物の熱安定性が良好であることを意味する。
【０１８９】
【表８】
0006362616.tif 000022
【０１９０】
上記の結果から、潤滑剤組成物中に、式（Ｉ）で表されるポリグリセロールエーテルと、少なくとも１つのコハク酸イミド基を有する分散剤（特に、置換コハク酸イミド基を有する分散剤）とを組合せて配合することにより、その潤滑剤組成物の熱安定性が向上するという利点が得られることが分かる。
【０１９１】
特に、上記の結果から、式（Ｉ）で表されるポリグリセロールエーテルと、少なくとも１つの置換コハク酸イミド基を有する分散剤との組合せ（組成物Ｊ）は、相乗作用によって得られる熱安定性を呈することがわかり、少なくとも１つの置換コハク酸イミド基を有する分散剤単独［式（Ｉ）で表されるポリグリセロールエーテルを含まない場合］（組成物Ｈ）によって得られる熱安定性、および式（Ｉ）で表されるポリグリセロールエーテル単独［少なくとも１つの置換コハク酸イミド基を有する分散剤を含まない場合］（組成物Ｋ）によって得られる熱安定性よりも、組成物Ｊの熱安定性は、顕著に高いことが分かる。
【０１９２】
注目すべきは、モリブデン系の摩擦調整剤を含む組成物Ｉが、置換コハク酸イミド基を有する分散剤を含んでいるにもかかわらず、熱安定性が低いことである。
【０１９３】
同じく注目すべきは、本発明にかかる潤滑剤組成物が、少なくとも１種のモリブデン系の摩擦調整剤を含む組成物に比べて灰分を微量しか又は全く形成しないという利点を有することである。
なお、本発明は、実施の態様として以下の内容を含む。
〔態様１〕
−少なくとも１種の基油と、
−下記の式（Ｉ）で表される少なくとも１種のポリグリセロールエーテル：
【化１４】
0006362616.tif 000023
（式中、
●  Ｒ１は、炭素数１〜３０の直鎖状又は分岐鎖状のアルキル基であり、
●  ｎは、２〜１０の整数である。）と、
−少なくとも１つの置換コハク酸イミド基を有する化合物、および少なくとも２つの置換コハク酸イミド基を有して且つこれら置換コハク酸イミド基同士が当該置換コハク酸イミド基のうちの窒素原子を有する環の頂点でポリアミン基により互いに連結されている化合物から選択される、少なくとも１種の分散剤と、
を含む、潤滑剤組成物。
〔態様２〕
態様１に記載の潤滑剤組成物において、Ｒ１が、炭素数８〜２５（好ましくは、炭素数１０〜２０）の直鎖状又は分岐鎖状のアルキル基である、潤滑剤組成物。
〔態様３〕
態様１または２に記載の潤滑剤組成物において、ｎが、２、３、４または５（好ましくは、２、３または４）である、潤滑剤組成物。
〔態様４〕
態様１から３のいずれか一態様に記載の潤滑剤組成物において、ポリグリセロールエーテルが、式（Ｉ）で表される化合物のうち、
●  Ｒ１が炭素数１２の直鎖状又は分岐鎖状のアルキル基であり、かつ、ｎが２である化合物、
●  Ｒ１が炭素数１８の直鎖状又は分岐鎖状のアルキル基であり、かつ、ｎが２である化合物、
●  Ｒ１が炭素数１６の直鎖状又は分岐鎖状のアルキル基であり、かつ、ｎが３である化合物、
●  Ｒ１が炭素数１２の直鎖状又は分岐鎖状のアルキル基であり、かつ、ｎが４である化合物、および
●  Ｒ１が炭素数１８の直鎖状又は分岐鎖状のアルキル基であり、かつ、ｎが４である化合物、
から選択される、潤滑剤組成物。
〔態様５〕
態様１から４のいずれか一態様に記載の潤滑剤組成物において、分散剤が、下記の式（ＩＩ）又は下記の式（ＩＩＩ）で表される置換コハク酸イミドである、潤滑剤組成物。
【化１５】
0006362616.tif 000024
（式中、
●  ｘは、０〜１０の整数（好ましくは、２、３、４、５または６）であり、
●  ｙは、２〜６の整数（好ましくは、２、３または４）であり、
●  Ｒ２は、炭素数８〜４００（好ましくは、炭素数５０〜２００）のアルキル基、炭素数８〜４００（好ましくは、炭素数５０〜２００）のアリール基、炭素数８〜４００（好ましくは、炭素数５０〜２００）のアリールアルキル基、または炭素数８〜４００（好ましくは、炭素数５０〜２００）のアルキルアリール基であり、
●  Ｒ３およびＲ４は、同一又は異なり、互いに独立して、水素原子、炭素数１〜２５の直鎖状又は分岐鎖状のアルキル基、炭素数１〜１２のアルコキシ基、炭素数２〜６のアルケニル基、炭素数２〜１２のヒドロキシ化アルケニル基、または炭素数２〜１２のアルケニルアミン基である。）
〔態様６〕
態様５に記載の潤滑剤組成物において、分散剤が、式（ＩＩ）で表される置換コハク酸イミドのうち、
●  Ｒ２がポリイソブチレン基であり、
●  Ｒ３およびＲ４が水素原子であり、
●  ｘが２であり、
●  ｙが２または３である、
置換コハク酸イミドである、潤滑剤組成物。
〔態様７〕
態様１から６のいずれか一態様に記載の潤滑剤組成物において、ポリグリセロールエーテルの含有量が、当該潤滑剤組成物の総重量に対し、０．１〜３重量％（好ましくは、０．５〜２重量％）である、潤滑剤組成物。
〔態様８〕
態様１から１７のいずれか一態様に記載の潤滑剤組成物において、分散剤の含有量が、当該潤滑剤組成物の総重量に対し、０．１〜１０重量％（好ましくは０．１〜５重量％、より好ましくは０．１〜３重量％）である、潤滑剤組成物。
〔態様９〕
態様１から８のいずれか一態様に記載の潤滑剤組成物において、質量比（ポリグリセロールエーテルの質量／分散剤の質量）が、５／１〜１／５（好ましくは、２／１〜１／２）である、潤滑剤組成物。
〔態様１０〕
態様１から９のいずれか一態様に記載の潤滑剤組成物において、さらに、
清浄剤、耐摩耗剤、極圧剤、酸化防止剤、粘度指数向上ポリマー、流動点改善剤、消泡剤、増ちょう剤、およびこれらの混合物から選択される、少なくとも１種の添加剤、
を含む、潤滑剤組成物。
〔態様１１〕
態様１から１０のいずれか一態様に記載の潤滑剤組成物を含むエンジンオイル。
〔態様１２〕
態様１から１０のいずれか一態様に記載の潤滑剤組成物の、乗り物の燃費を減少させるための使用。
〔態様１３〕
機械部品の摩擦によるエネルギー損失を減少させる方法であって、
機械部品を、態様１から１０のいずれか一態様に記載の潤滑剤組成物に接触させる工程、
を少なくとも含む、方法。
〔態様１４〕
乗り物の燃費を減少させる方法であって、
前記乗り物のエンジンの機械部品を、態様１から１０のいずれか一態様に記載の潤滑剤組成物に接触させる工程、
を少なくとも含む、方法。
〔態様１５〕
下記の式（Ｉ）で表されるポリグリセロールエーテルの、潤滑剤組成物中での摩擦調整剤としての使用。
【化１６】
0006362616.tif 000025
（式中、
●  Ｒ１は、炭素数１〜３０の直鎖状又は分岐鎖状のアルキル基であり、
●  ｎは、２〜１０の整数である。）